(57)【要約】【課題】画面に表示された画像等オブジェクトの属性情報を簡単に把握する仕組みを構築することにより、操作性の向上をはかる。【解決手段】入力部（タッチセンサ１２）と表示部（ディスプレイ１１）とが一体形成されたタッチパネル（ＴＰ）を有する情報端末装置１であって、制御部（ＣＰＵ１００）は、入力部が、表示部に表示されたオブジェクトの移動操作を検出すると、オブジェクトが表示されていない表示部の余白領域にオブジェクトが持つ１以上の属性情報を表示する。【選択図】図２
2014026515.tif 000002
【特許請求の範囲】
【請求項１】
入力部と表示部とが一体形成されたタッチパネルを有する情報端末装置であって、
前記入力部が、前記表示部に表示されたオブジェクトの移動操作を検出すると、前記オブジェクトが表示されていない前記表示部の余白領域に前記オブジェクトが持つ１以上の属性情報を表示する制御部、
を備えたことを特徴とする情報端末装置。
【請求項２】
前記制御部は、
前記余白領域のサイズに応じて前記属性情報のフォントの大きさを変更して表示することを特徴とする請求項１記載の情報端末装置。
【請求項３】
前記制御部は、
前記オブジェクトが持つ属性情報のうち、予め設定された優先度の高い属性情報を前記余白領域に表示することを特徴とする請求項１または２に記載の情報処理装置。
【請求項４】
前記制御部は、
更なる前記移動操作を検出したときに他の属性情報を表示することを特徴とする請求項３に記載の情報処理装置。
【請求項５】
前記制御部は、
前記入力部が２本指での前記移動操作を検出したときに、前記オブジェクトの属性情報を表示することを特徴とする請求項１〜４のいずれか１項記載の情報処理装置。
【請求項６】
前記制御部は、
前記オブジェクトを縮小表示するピンチイン操作を検出したときに、前記オブジェクトの属性情報を表示することを特徴とする請求項５記載の情報端末装置。
【発明の詳細な説明】
【技術分野】
【０００１】
本発明は、入力部と表示部とが一体形成されたタッチパネルを有する情報端末装置に関する。
【背景技術】
【０００２】
近年、携帯電話にＰＣ（Personal  Computer）やＰＤＡ（Personal  Digital  Assistants）の機能が備わったスマートフォンが普及してきた。スマートフォンは、ＰＣ同様、
Ｗｅｂ（World  Wide  Web）ページの閲覧、インターネット上のさまざまなサービスやメール、ビジネスアプリケーションの使用、音楽や動画等マルチメディアの利用等、多彩な機能を持つ携帯情報端末であり、流通している様々なアプリケーションプログラム（以下、単にアプリケーションという）をインストールすることにより更なる機能強化が可能である。
【０００３】
ところで、携帯情報端末には、通常、入力部と表示部とが一体形成されたタッチパネルが搭載されており、例えば、表示部としての液晶（ＬＣＤ：Liquid  Crystal  Display）パネル上に表示されるアイコン、あるいはソフトキーをタッチすることにより、座標位置入力、あるいは情報の入力が行われる。このタッチパネルを使用して編集作業の効率化をはかった技術が、例えば、特許文献１に開示されている。
【先行技術文献】
【特許文献】
【０００４】
【特許文献１】特開２００２−５５７５０号公報
【発明の概要】
【発明が解決しようとする課題】
【０００５】
携帯情報端末のアプリケーションの一つに「ギャラリー」がある。「ギャラリー」は、例えば、写真や動画等の画像を整理し、編集を可能にするアプリケーションである。携帯情報端末上で「ギャラリー」を起動すると、デスクトップ画面上に登録済みの画像ファイルがサムネールのかたちで一覧表示される。これを指で操作することにより移動させ、あるいは画像を閲覧し、編集することができる。
【０００６】
ところで、画像編集の際、例えば、画像ファイルをリサイズしたとき、ギャラリーのファイルサイズが不明であるため、いずれが不要なファイルかわからないことがある。従来、画像のファイルサイズ等の画像属性（以下、単に属性情報という）を把握したい場合は別のアプリケーションプログラムを立ち上げる必要がある。したがって、操作性が悪いという問題を有していた。また、特許文献１に開示された技術によっても、画像メニューを表示し、その中から詳細情報ボタンを選択するといった２タッチで属性情報を把握する必要があり、同じく操作性を改善したことにはならない。
【０００７】
本発明は上記した課題を解決するためになされたものであり、画面に表示された画像等オブジェクトの属性情報を簡単に把握する仕組みを構築することにより、操作性の向上をはかった情報端末装置を提供することを目的とする。
【課題を解決するための手段】
【０００８】
上記した課題を解決するために本発明の端末装置は、入力部と表示部とが一体形成されたタッチパネルを有する情報端末装置であって、前記入力部が、前記表示部に表示されたオブジェクトの移動操作を検出すると、前記オブジェクトが表示されていない前記表示部
の余白領域に前記オブジェクトが持つ１以上の属性情報を表示する制御部、を備えたものである。
【０００９】
本発明において、前記制御部は、前記余白領域のサイズに応じて前記属性情報のフォントの大きさを変更して表示してもよい。
【００１０】
本発明において、前記制御部は、前記オブジェクトが持つ属性情報のうち、予め設定された優先度の高い属性情報を前記余白領域に表示してもよい。
【００１１】
本発明において、前記制御部は、更なる前記移動操作を検出したときに他の属性情報を表示してもよい。
【００１２】
本発明において、前記制御部は、前記入力部が２本指での前記移動操作を検出したときに前記オブジェクトの属性情報を表示してもよい。
【００１３】
本発明において、前記制御部は、前記オブジェクトを縮小表示するピンチイン操作を検出したときに、前記オブジェクトの属性情報を表示してもよい。
【発明の効果】
【００１４】
本発明によれば、画面に表示された画像等オブジェクトの属性情報を簡単に把握する仕組みを構築することにより、操作性の向上をはかった情報端末装置を提供することができる。
【図面の簡単な説明】
【００１５】
【図１】本発明の実施の形態に係る情報端末装置の外観構成図である。
【図２】本発明の実施の形態に係る情報端末装置の構成を示すブロック図である。
【図３】本発明の実施の形態に係る情報端末装置の動作を示すフローチャートである。
【図４】本発明の実施の形態に係る情報端末装置の動作の一例を画面上に展開して示した画面遷移図である。
【図５】本発明の実施の形態の変形例に係る情報端末装置の動作を示すフローチャートである。
【図６】本発明の実施の形態の変形例に係る情報端末装置の動作の一例を画面上に展開して示した画面遷移図である。
【発明を実施するための形態】
【００１６】
以下、添付図面を把握して本発明を実施するための実施の形態（以下、単に本実施形態という）について詳細に説明する。
【００１７】
（実施形態の構成）
図１（ａ）は、本実施形態に係る情報端末装置１の外観正面図、（ｂ）は側面図である。図２は、本実施形態に係る情報端末装置１の構成を示すブロック図である。本実施形態に係る情報端末装置１の構成を図１（ａ）（ｂ）、及び図２の双方を使用して説明する。
【００１８】
図１（ａ）（ｂ）に示すように、情報端末装置１は、薄型の長方形状のキャビネット１０を有する。キャビネット１０の正面側には、タッチパネルＴＰが配置され、このタッチパネルＴＰは、表示部と入力部が一体的に形成されており、表示部としてのディスプレイ１１と、入力部としてのタッチセンサ１２とを備える。
【００１９】
ディスプレイ１１は、液晶パネル１１ａと、液晶パネル１１ａを照明するバックライト
１１ｂにより構成されている。液晶パネル１１ａは、画像を表示するための表示面１１ｃを表に有し、表示面１１ｃが外部に現れる。表示面１１ｃには、多数のアプリケーションのアイコンが並べられたホーム画面や、これらアプリケーションに基づく実行画面が表示される。なお、液晶パネル１１ａに代えて、有機ＥＬ（Organic  Electro-Luminescense
）など他の表示素子を用いてもよい。
【００２０】
タッチセンサ１２は、表示面１１ｃの上に透明なシート状に形成されており、タッチセンサ１２を透して表示面１１ｃを見ることができる。また、タッチセンサ１２は、ユーザがタッチした表示面１１ｃ上の位置（以下、「入力位置」と言う。）を検出し、その入力位置に応じた位置信号を後述するＣＰＵ１００へ出力する。なお、表示面１１ｃにタッチするとは、実際には、タッチセンサ１２を覆うカバーの表面における表示面１１ｃに相当する領域を触れることである。
【００２１】
タッチセンサ１２は、例えば、静電容量式のタッチセンサであり、マトリクス状に配された第１透明電極、第２透明電極及びカバーを備え、その第１及び第２透明電極間の静電容量の変化を検出することによって、入力位置を検出する。タッチセンサ１２は、静電容量式のタッチセンサに限られず、超音波式、感圧式、抵抗腹式、光検出式等のタッチセンサであってもよい。
【００２２】
ユーザは、自身の指、又はペンなどの接触部材（簡単のため、以下、単に「指」と言う）によって表示面１１ｃを触れ、ドラッグ操作や後述するピンチイン操作によるオブジェクトの移動や、タップ操作による選択実行等、各種操作を行うことができる。なお、ここで使用されるタッチセンサ１２はマルチタッチに対応しており、例えば、２本指によって表示面１１ｃ上のオブジェクトに指を載せ、開くことでズームし、閉じることでズームアウトする、「ピンチズーム」、「ピンチイン」の操作も可能である。
【００２３】
なお、タッチパネルＴＰの縦方向の下方には、タッチキー１３ａ，１３ｂ，１３ｃから成るキー操作部１３が配置されている。タッチキー１３ａ〜１３ｃは、具体的には、ホームキー１３ａ、設定キー１３ｂ、バックキー１３ｃである。ホームキー１３ａは、ホーム画面を表示面１１ｃに表示させるためのキーである。設定キー１３ｂは、各種設定を行う設定画面を表示面１１ｃに表示させるためのキーである。バックキー１３ｃは、アプリケーションの実行の際、表示面１１ｃに表示される画面を１ステップ前の画面に戻すためのキーである。
【００２４】
キャビネット１０の正面側には、縦方向の下部にマイクロホン（マイクと言う）１４が配されており、上部にスピーカ１５が配置されている。ユーザは、スピーカ１５からの音声を耳で捉え、マイク１４に対して音声を発することにより通話を行うことができる。キャビネット１０の背面側には、カメラモジュール１６が配置されている。キャビネット１０の背面には、レンズ窓（図示せず）が配されており、レンズ窓から被写体の画像がカメラモジュール１６に取り込まれる。
【００２５】
更に、情報端末装置１は、図２に示すように、上述した各構成要素の他に、ＣＰＵ１００と、メモリ１０１と、画像処理部１０２と、キー入力部１０３と、音声エンコーダ１０４と、音声デコーダ１０５と、映像エンコーダ１０６と、通信モジュール１０７と、加速度センサ１０８とを備える。更に、ＣＰＵ１００は、表示制御部１２０を備えている。
【００２６】
画像処理部１０２は、ＣＰＵ１００から入力された制御信号に従ってディスプレイ１１に表示される画像を生成し、画像データをＶＲＡＭ（Video RAM：ブライム）１０２ａに
記憶させる。更に、そのＶＲＡＭ１０２ａに記憶された画像データを含む画像信号を、ディスプレイ１１へ出力する。また、画像処理部１０２は、ディスプレイ１１を制御するた
めの制御信号を出力し、ディスプレイ１１のバックライト１１ｂを点灯又は消灯させる。このようにして、バックライト１１ｂから放出された光が、画像信号に基づいて液晶パネル１１ａにより変調されることにより、ディスプレイ１１の表示面１１ｃに画像が表示される。
【００２７】
キー入力部１０３は、キー操作部１３の各キーが押下された際に、押下キーに応じた信号をＣＰＵ１００へ出力する。音声エンコーダ１０４は、マイク１４で集音した音声に応じて出力される音声信号をデジタルの音声信号に変換し、ＣＰＵ１００へ出力する。音声デコーダ１０５は、ＣＰＵ１００からの音声信号にデコード処理及びＤ／Ａ変換処理を施し、変換されたアナログの音声信号をスピーカ１５へ出力する。
【００２８】
通信モジュール１０７は、通話や通信のための電波を送受信するアンテナを備える。通信モジュール１０７は、ＣＰＵ１００から入力される信号を無線信号に変換し、変換された無線信号を、アンテナを介して、基地局や他の通信装置等の通信先へ送信する。また、通信モジュール１０７は、アンテナを介して受信した無線信号をＣＰＵ１００が利用できる形式の信号へ変換し、変換された信号をＣＰＵ１００へ出力する。
【００２９】
メモリ１０１は、ＲＯＭ及びＲＡＭを含み、ＣＰＵ１００に制御機能を付与するための制御プログラムと、種々のアプリケーションが記憶されている。また、メモリ１０１は、アプリケーションの実行の際に一時的に利用又は生成される各種のデータを記憶する、ワーキングメモリとしても使用される。
【００３０】
ＣＰＵ１００は、制御プログラムに従って、カメラモジュール１６、マイク１４、通信モジュール１０７、ディスプレイ１１、タッチセンサ１２、スピーカ１５等、各構成要素を制御することにより、通話、カメラ、電子メール、Ｗｅｂブラウザ、地図、音楽プレーヤ等、各種のアプリケーションを実行する。
【００３１】
ＣＰＵ１００は、画像処理部１０２と協働して動作することにより、タッチセンサ１２が、ディスプレイ１１（液晶パネル１１ａ）に表示されたオブジェクトの２本指での移動操作を検出すると、オブジェクトが表示されていないディスプレイ１１の余白領域に、オブジェクトが持つ１以上の属性情報を表示する制御部としての機能を実行する。
【００３２】
ここで、「オブジェクト」とは、例えば、画像フォルダ（ファイル）のことをいい、ディスプレイ１１の画面上にサムネールとして一覧表示される。また、「移動操作」とは、２本指でのドラッグ操作、あるいは、オブジェクトを縮小表示するピンチイン操作のことをいう。また、「属性情報」とは、保存日時、タイトル、データ取得日、ファイル名、ファイルサイズ、表示サイズ、ファイル形式、登録状況、ファイル制限の有無、撮影日時等、画像ファイルの画像情報をいう。ここで、登録状況とは、待受画面設定や電話帳設定等、端末内で画像を使用する箇所に設定したか否かを示す情報であり、ファイル制限の有無とは、画像ファイルに制限をかけたか否かを示す情報である。
【００３３】
また、「余白領域」とは、ディスプレイ１１（液晶パネル１１ａ）の物理画面領域に対し、通常は見えていない有効画面領域枠外の論理画面領域（論理画面領域＞物理画面領域）のことをいう。なお、論理画面領域は、メモリ１０２の一部領域に表示領域として割り当てられ、物理画面領域は、その論理画面領域内を移動でき、ディスプレイ１１が持つ画面容量分の有効画面領域として割り当てられる。
【００３４】
ＣＰＵ１００は、タッチセンサ１２により移動操作を検出すると、画像処理部１０２による移動操作に伴う画面情報の更新後、表示制御部１２０を制御することにより、表示面１１ｃに新たに出現する余白領域に属性情報を表示する。このとき、余白領域の容量（論
理画面領域−物理画面領域）に応じて属性情報のフォントの大きさを変更して表示する。また、オブジェクトが持つ属性情報のうち、デフォルトで、あるいはユーザにより予め設定された優先度の高い属性情報をその余白領域に表示し、更なる移動操作を検出したときに他の属性情報を表示してもよい。すなわち、一度に全ての属性情報を表示する必要はなく、表示可能な余白領域の容量に応じて変更されるものとする。
【００３５】
加速度センサ１０８は、情報端末装置１本体の傾き時の加速度を検出（又は検出ともいう）する。加速度センサ１０８は３軸加速度センサであり、図１に示すＸ軸方向、Ｙ軸方向及びＺ軸方向の３方向に生じる加速度を検出する。例えば、情報端末装置１が、地面に対して縦方向から横方向、又は横方向から縦方向に傾けられた際に、その傾き角度に応じた加速度が検出される。更に、加速度センサ１０８は、検出した加速度に応じた加速度信号をＣＰＵ１００へ出力する。情報端末装置１が静止状態にあるときには、情報端末装置１に加わる重力加速度が加速度センサ１０８により検出される。加速度センサ１０８によって傾きをチェックすることにより、画面に表示されるオブジェクトを常に正しい向きに表示することができる。
【００３６】
（実施形態の動作）
以下、本実施形態に係る情報端末装置１の動作につき、図３のフローチャートおよび図４の画面遷移図を使用して詳細に説明する。
【００３７】
まず、ディスプレイ１１の画面上には図４に示す元画像（図中、○枠）が表示されているものとする（ステップＳ１０１）。ユーザがディスプレイ１１の表示面１１ｃに表示されている元画像の上に指を載せてドラッグ操作を行うと（ステップＳ１０２“Ｙｅｓ”）、タッチセンサ１２がこれを検出する。このとき、ＣＰＵ１００は、タッチセンサ１２からの信号に基づきドラッグ操作が２本指による操作か否かを判定し（ステップＳ１０３）、１本指によるドラッグ操作であれば（ステップＳ１０３“Ｎｏ”）、画像処理部１０２によりスクロールするために更新された画面情報を表示制御部１２０に引渡す。表示制御部１２０は、更新された画面情報をディスプレイ１１（液晶パネル１１ａ）の表示タイミングに同期して画像処理部１０２のＶＲＡＭ１０２ａから読み出し、ディスプレイ１１に表示する（ステップＳ１０４）。
【００３８】
一方、ステップＳ１０３で２本指によるドラッグ操作であると判定されると（ステップＳ１０３“Ｙｅｓ”）、ＣＰＵ１００は、メモリ１０１から元画像の属性情報を読み出す（ステップＳ１０５）。ここで読み出される属性情報は、保存日時「２００１１／１１／３０」、タイトル「２０１１１１３０１８０１０００」、データ取得日「２０１１／１１／３０  １８：０１」、ファイル名「２０１１１１３０１８０１０００ｊｐｇ」、ファイルサイズ「３１ＫＢ」、表示サイズ「２４０×３２０ｄｏｔ」、ファイル形式「ＪＰＥＧ」、登録状況「待受画面設定」、ファイル制限の有無「無」、撮影日時「２０１１／１１／３０  １８：０１」である。
【００３９】
次に、ＣＰＵ１００は、属性情報表示の設定を判定する。ここで、属性を全体表示する設定（デフォルト）になっていると（ステップＳ１０６“Ｙｅｓ”）、ＣＰＵ１００は、ディスプレイ１１の表示面１１ｃにドラッグされ表示される元画像とともに、属性情報を画面余白のサイズに応じたフォントで表示するように画像処理部１０２、および表示制御部１２０を制御する。例えば、図４に示されるように、属性情報である、「保存日時」、「表示サイズ」、「ファイルサイズ」、「ファイル形式」、「ファイル名」、「撮影日時」が、元画像と共にディスプレイ１１（液晶パネル１１ａ）画面上に表示される。このとき、元画像は、ドラッグ量、およびドラッグ方向に応じて変形させてもよい。
【００４０】
一方、ステップＳ１０６で、属性情報の一部表示が設定されていれば（ステップＳ１０
６“Ｎｏ”）、ＣＰＵ１００は、全ての属性情報のうち予め選択設定されてある、例えば、「表示サイズ」、「ファイルサイズ」、「画像サイズ」等、優先度の高い属性情報から表示するように表示制御部１２０を制御する。このとき、表示制御部１２０は、ディスプレイ１１の表示面１１ｃ上に、ドラッグされ表示される元画像とともに、選択された属性情報を余白領域に表示する（ステップＳ１０８）。ＣＰＵ１００は、続く更なるドラッグ操作を検出すると（ステップＳ１０９“Ｙｅｓ”）、ステップＳ１０８で表示されていない、他の属性情報である、「撮影日時」、「ファイル形式」、「ファイル名」等を元画像とともに表示する（ステップＳ１１０）。
【００４１】
最後に、タッチセンサ１２でユーザが表示面１１ｃから指を離すリリースが検出されると（ステップＳ１１１“Ｙｅｓ”）、ステップＳ１０１の元画像の表示処理に戻る。
【００４２】
（変形例の説明）
なお、タッチセンサ１２がマルチタッチに対応している場合、例えば、図５のフローチャートに示すように、元画像が表示されている状態で（ステップＳ２０１）、ピンチイン操作が検出された場合（ステップＳ２０２“Ｙｅｓ”）、縮小により新たに表示されるディスプレイ１１の液晶パネル１１ａ画面隅に新たに出現する余白領域に属性情報を表示してもよい（ステップＳ２０３）。
【００４３】
図６にこの場合の画面構成が示されている。図６に示す例では、画面上隅に保存日時と表示サイズが、画面に向かって左隅にファイル名と撮影日時が、右隅にファイルサイズとファイル形式が表示されている。この場合も指のリリースを検出すると（ステップＳ２０４“Ｙｅｓ”）元画像表示に戻る（ステップＳ２０１）。
【００４４】
なお、本変形例においても、図３のステップＳ１０６〜Ｓ１１０と同様に、ピンチイン操作が検出された後で、ＣＰＵ１００による属性情報表示の設定の判定が行われてもよい。この場合、図５におけるステップＳ２０３の処理が、図３のステップＳ１０６〜Ｓ１１０の処理で置き換わったフローチャートとなる。
【００４５】
（実施形態の効果）
以上説明のように本実施形態に係る情報端末装置１によれば、制御部（ＣＰＵ１００）は、入力部（タッチセンサ１２）が、一体形成された表示部（ディスプレイ１１）に表示されたオブジェクトの移動操作を検出すると、例えば、図４に示すように、オブジェクトが表示されていない表示部の余白領域にオブジェクトが持つ１以上の属性情報を表示する。このため、オブジェクト表示後、ユーザはそのオブジェクトを移動操作するだけで属性情報を把握することができ、オブジェクト把握のためのタッチ数が減る（２タッチ→１タッチ）ことから、操作性の向上がはかれる。
【００４６】
また、属性情報の表示にあたり、余白領域のサイズに応じて属性情報のフォントの大きさを自動的に変更するため、１回の操作で目的とするオブジェクトが有する全ての属性情報を把握することができる。なお、属性情報を表示するための余白領域のサイズによっては全ての属性情報を表示するには困難な場合、優先度の高い一部の属性情報を選択して表示し、続く移動操作を検出することによって他の属性情報を表示することで、操作性の他に実用性を兼ねることもできる。また、１本指のドラッグ操作でオブジェクトの移動による更新画面の表示を、２本指のドラッグ操作で属性情報の画面表示を行うことができ、これを切り換え制御することで、従来からある情報端末装置１の表示との互換性が維持できる。
【００４７】
なお、マルチタッチに対応したタッチセンサ１２を使用し、ピンチイン操作を検出したときにオブジェクトの属性情報を表示する仕組みを構築することで、操作性が一層向上す
る。
【００４８】
なお、上記した本実施形態に係る情報端末装置１によれば、オブジェクトとして、画像のみ例示し、その属性情報を表示する場合についてのみ説明したが、他に、音声やテキスト等、他のオブジェクトであっても同様にそのオブジェクトが持つ属性情報を表示することができる。また、オブジェクトの移動操作を検出したときにそのオブジェクト近傍に吹出しを表示し、その吹出しの中にオブジェクトが持つ属性情報を表示しても同様の効果が得られる。
【００４９】
また、本実施形態に係る情報端末装置１によれば、スマートフォンのみ例示したが、タブレット端末、タッチパッド、タッチパネルを入出力装置として有するＰＣ等、情報端末装置全般への適用が可能である。
【００５０】
以上、本発明の好ましい実施形態について詳述したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５１】
１…情報端末装置、ＴＰ…タッチパネル、１１…ディスプレイ（表示部）、１２…タッチセンサ（入力部）、１００…ＣＰＵ（制御部）、１０２…画像処理部（制御部）、１２０…表示制御部。
【図１】
2014026515.tif 000003
【図２】
2014026515.tif 000004
【図３】
2014026515.tif 000005
【図４】
2014026515.tif 000006
【図５】
2014026515.tif 000007
【図６】
2014026515.tif 000008